(57)【要約】【課題】放電灯の寿命を向上できるプロジェクターを提供する。【解決手段】本発明のプロジェクターの一つの態様は、光を射出する放電灯と、放電灯から射出される光を画像信号に応じて変調する光変調装置と、光変調装置により変調された光を投射する投射光学系と、放電灯に駆動電力を供給する放電灯駆動部と、放電灯を冷却可能な冷却部と、放電灯駆動部および冷却部を制御する制御部と、放電灯の電極間電圧を検出する電圧検出部と、を備え、制御部は、放電灯に供給される駆動電力を周期的に変動させる電力変動駆動を実行可能であり、制御部は、電力変動駆動において、電圧検出部によって検出された電極間電圧と、変動される駆動電力と、に基づいて、冷却部を制御することを特徴とする。【選択図】図８
2016173449.tif 000002
【特許請求の範囲】
【請求項１】
光を射出する放電灯と、
前記放電灯から射出される光を画像信号に応じて変調する光変調装置と、
前記光変調装置により変調された光を投射する投射光学系と、
前記放電灯に駆動電力を供給する放電灯駆動部と、
前記放電灯を冷却可能な冷却部と、
前記放電灯駆動部および前記冷却部を制御する制御部と、
前記放電灯の電極間電圧を検出する電圧検出部と、
を備え、
前記制御部は、前記放電灯に供給される前記駆動電力を周期的に変動させる電力変動駆
動を実行可能であり、
前記制御部は、前記電力変動駆動において、前記電圧検出部によって検出された電極間
電圧と、変動される前記駆動電力と、に基づいて、前記冷却部を制御することを特徴とす
るプロジェクター。
【請求項２】
前記制御部は、前記電力変動駆動において、前記駆動電力が上昇した際には、前記冷却
部の出力を増加させ、前記駆動電力が低下した際には、前記冷却部の出力を減少させる、
請求項１に記載のプロジェクター。
【請求項３】
前記冷却部の出力は、前記駆動電力に比例する、請求項２に記載のプロジェクター。
【請求項４】
前記制御部は、前記電力変動駆動において、前記電極間電圧が第１閾値以上の場合、前
記冷却部の出力を増加させる、請求項１から３のいずれか一項に記載のプロジェクター。
【請求項５】
前記制御部は、前記電力変動駆動において、前記電極間電圧が上昇した際には、前記冷
却部の出力を増加させ、前記電極間電圧が低下した際には、前記冷却部の出力を減少させ
る、請求項１から３のいずれか一項に記載のプロジェクター。
【請求項６】
前記冷却部の出力と前記電極間電圧との関係は、一次関数で表せる、請求項５に記載の
プロジェクター。
【請求項７】
前記制御部は、前記電力変動駆動において、前記電極間電圧に基づいて、前記駆動電力
の駆動電力波形を変化させる、請求項１から６のいずれか一項に記載のプロジェクター。
【請求項８】
前記制御部は、前記電力変動駆動において、前記電極間電圧が第２閾値以上の場合、前
記駆動電力の最大値を大きくする、請求項７に記載のプロジェクター。
【請求項９】
前記電圧検出部は、前記電力変動駆動において、前記駆動電力が最小となるときに前記
電極間電圧を検出する、請求項１から８のいずれか一項に記載のプロジェクター。
【請求項１０】
前記制御部は、前記電力変動駆動において、前記駆動電力の変化の速さを４．０Ｗ／ｓ
以下に制御する、請求項１から９のいずれか一項に記載のプロジェクター。
【請求項１１】
前記放電灯から射出される光の光量を調整する絞りを備え、
前記絞りは、前記電力変動駆動において、前記駆動電力の変動に応じた前記放電灯の輝
度の変化を相殺するように、前記光量を調整する、請求項１から１０のいずれか一項に記
載のプロジェクター。
【請求項１２】
前記画像信号の輝度情報を調整可能な画像処理装置を備え、
前記画像処理装置は、前記電力変動駆動において、前記駆動電力の変動に応じた前記放
電灯の輝度の変化を相殺するように、前記輝度情報を調整する、請求項１から１０のいず
れか一項に記載のプロジェクター。
【請求項１３】
光を射出する放電灯と、前記放電灯からの光を変調する光変調装置と、前記光変調装置
によって変調された光を投射する投射光学装置と、を備えるプロジェクターの制御方法で
あって、
前記放電灯に供給される前記駆動電力を周期的に変動させる電力変動駆動を含み、
前記電力変動駆動において、前記放電灯の電極間電圧と、変動される前記駆動電力と、
に基づいて、前記放電灯を冷却することを特徴とするプロジェクターの制御方法。
【発明の詳細な説明】
【技術分野】
【０００１】
本発明は、プロジェクター、およびプロジェクターの制御方法に関する。
【背景技術】
【０００２】
例えば、特許文献１には、光源の長寿命化を目的として、一定時間で変化を繰り返す駆
動電力の揺らぎを発生させる技術が開示されている。また、例えば、特許文献２には、定
格電力よりも低いランプ電力が一定時間以上ランプに供給される場合に、ランプ電力を所
定時間、定格電力に上げる技術が開示されている。
【先行技術文献】
【特許文献】
【０００３】
【特許文献１】特許第４１１１２３８号公報
【特許文献２】特許第５５３６２１８号公報
【発明の概要】
【発明が解決しようとする課題】
【０００４】
上記のようにランプ電力（駆動電力）を変化させる場合では、ランプ電力が比較的小さ
いときにランプ（放電灯）の冷却度合が大きいと、ランプ内のハロゲンサイクルが阻害さ
れ黒化が生じる問題がある。一方、ランプ電力が比較的大きいときにランプの冷却度合が
小さいと、放電灯の温度が高くなり、放電灯が破損する虞がある。これにより、ランプの
寿命が低下する問題があった。
【０００５】
したがって、ランプ電力を変化させる場合には、ランプ電力の変化に応じてランプの冷
却度合を変化させることが好ましい。しかし、ランプの状態は劣化によって変化するため
、単純に冷却度合を変化させるだけでは、ランプの寿命を十分に向上できない場合があっ
た。
【０００６】
本発明の一つの態様は、上記問題点に鑑みて成されたものであって、放電灯の寿命を向
上できるプロジェクターおよびプロジェクターの制御方法を提供することを目的の一つと
する。
【課題を解決するための手段】
【０００７】
本発明のプロジェクターの一つの態様は、光を射出する放電灯と、前記放電灯から射出
される光を画像信号に応じて変調する光変調装置と、前記光変調装置により変調された光
を投射する投射光学系と、前記放電灯に駆動電力を供給する放電灯駆動部と、前記放電灯
を冷却可能な冷却部と、前記放電灯駆動部および前記冷却部を制御する制御部と、前記放
電灯の電極間電圧を検出する電圧検出部と、を備え、前記制御部は、前記放電灯に供給さ
れる前記駆動電力を周期的に変動させる電力変動駆動を実行可能であり、前記制御部は、
前記電力変動駆動において、前記電圧検出部によって検出された電極間電圧と、変動され
る前記駆動電力と、に基づいて、前記冷却部を制御することを特徴とする。
【０００８】
本発明のプロジェクターの一つの態様によれば、制御部が駆動電力と電極間電圧とに基
づいて冷却部を制御する。そのため、駆動電力の変化による放電灯の温度変化と、電極間
電圧の変化による放電灯の温度変化との両方を、冷却部によって抑制することができる。
したがって、本発明のプロジェクターの一つの態様によれば、放電灯の寿命を向上できる
。
【０００９】
前記制御部は、前記電力変動駆動において、前記駆動電力が上昇した際には、前記冷却
部の出力を増加させ、前記駆動電力が低下した際には、前記冷却部の出力を減少させる構
成としてもよい。
この構成によれば、駆動電力に変化に応じて放電灯の温度を適切に維持することができ
る。
【００１０】
前記冷却部の出力は、前記駆動電力に比例する構成としてもよい。
この構成によれば、放電灯の温度を一定に維持しやすい。
【００１１】
前記制御部は、前記電力変動駆動において、前記電極間電圧が第１閾値以上の場合、前
記冷却部の出力を増加させる構成としてもよい。
この構成によれば、放電灯が劣化した場合に、放電灯が高温となることを抑制できる。
【００１２】
前記制御部は、前記電力変動駆動において、前記電極間電圧が上昇した際には、前記冷
却部の出力を増加させ、前記電極間電圧が低下した際には、前記冷却部の出力を減少させ
る構成としてもよい。
この構成によれば、放電灯の劣化状態に応じて、より適切に冷却部の出力を変化させる
ことができる。
【００１３】
前記冷却部の出力と前記電極間電圧との関係は、一次関数で表せる構成としてもよい。
この構成によれば、放電灯の温度を一定に維持しやすい。
【００１４】
前記制御部は、前記電力変動駆動において、前記電極間電圧に基づいて、前記駆動電力
の駆動電力波形を変化させる構成としてもよい。
この構成によれば、放電灯の劣化状態に応じて、電力変動駆動における駆動電力波形を
変化させることができる。これにより、放電灯が劣化した場合に、放電灯の電極先端の突
起を成長させやすい。
【００１５】
前記制御部は、前記電力変動駆動において、前記電極間電圧が第２閾値以上の場合、前
記駆動電力の最大値を大きくする構成としてもよい。
この構成によれば、放電灯が劣化した場合に、放電灯の電極に加えられる熱負荷を大き
くできる。そのため、放電灯が劣化した場合に、放電灯の電極先端の突起を成長させやす
い。
【００１６】
前記電圧検出部は、前記電力変動駆動において、前記駆動電力が最小となるときに前記
電極間電圧を検出する構成としてもよい。
この構成によれば、放電灯の劣化状態を正確に判断しやすい。
【００１７】
前記制御部は、前記電力変動駆動において、前記駆動電力の変化の速さを４．０Ｗ／ｓ
以下に制御する構成としてもよい。
この構成によれば、駆動電力の変化による放電灯の輝度の変化を使用者に認識させにく
くできる。
【００１８】
前記放電灯から射出される光の光量を調整する絞りを備え、前記絞りは、前記電力変動
駆動において、前記駆動電力の変動に応じた前記放電灯の輝度の変化を相殺するように、
前記光量を調整する構成としてもよい。
この構成によれば、プロジェクターから射出される画像の輝度変化を抑制できる。
【００１９】
前記画像信号の輝度情報を調整可能な画像処理装置を備え、前記画像処理装置は、前記
電力変動駆動において、前記駆動電力の変動に応じた前記放電灯の輝度の変化を相殺する
ように、前記輝度情報を調整する構成としてもよい。
この構成によれば、プロジェクターから射出される画像の輝度変化を抑制できる。
【００２０】
本発明のプロジェクターの制御方法の一つの態様は、光を射出する放電灯と、前記放電
灯からの光を変調する光変調装置と、前記光変調装置によって変調された光を投射する投
射光学装置と、を備えるプロジェクターの制御方法であって、前記放電灯に供給される前
記駆動電力を周期的に変動させる電力変動駆動を含み、前記電力変動駆動において、前記
放電灯の電極間電圧と、変動される前記駆動電力と、に基づいて、前記放電灯を冷却する
ことを特徴とする。
【００２１】
本発明のプロジェクターの制御方法の一つの態様によれば、上述したのと同様にして、
放電灯の寿命を向上できる。
【図面の簡単な説明】
【００２２】
【図１】本実施形態のプロジェクターの概略構成図である。
【図２】本実施形態の光源装置の構成を示す断面図である。
【図３】本実施形態の放電灯点灯装置および制御装置の回路図である。
【図４】本実施形態の制御装置の一構成例を示すブロック図である。
【図５】本実施形態のプロジェクターの各種構成要素を示すブロック図である。
【図６】放電灯の電極先端の突起の様子を示す図である。
【図７】本実施形態の電力変動駆動における駆動電力を示すグラフである。
【図８】本実施形態の電力変動駆動におけるファン電圧を示すグラフである。
【図９】本実施形態の電力変動駆動における制御部の制御手順の一例を示すフローチャートである。
【発明を実施するための形態】
【００２３】
以下、図面を参照しながら、本発明の実施形態に係るプロジェクターについて説明する
。
なお、本発明の範囲は、以下の実施の形態に限定されるものではなく、本発明の技術的
思想の範囲内で任意に変更可能である。また、以下の図面においては、各構成をわかりや
すくするために、実際の構造と各構造における縮尺や数等を異ならせる場合がある。
【００２４】
図１に示すように、本実施形態のプロジェクター５００は、光源装置２００と、平行化
レンズ３０５と、照明光学系３１０と、色分離光学系３２０と、３つの液晶ライトバルブ
（光変調装置）３３０Ｒ，３３０Ｇ，３３０Ｂと、クロスダイクロイックプリズム３４０
と、投射光学系（投射光学装置）３５０と、を備える。
【００２５】
光源装置２００から射出された光は、平行化レンズ３０５を通過して照明光学系３１０
に入射する。平行化レンズ３０５は、光源装置２００からの光を平行化する。
【００２６】
照明光学系３１０は、光源装置２００から射出される光の照度を、液晶ライトバルブ３
３０Ｒ，３３０Ｇ，３３０Ｂ上において均一化するように調整する。さらに、照明光学系
３１０は、光源装置２００から射出される光の偏光方向を一方向に揃える。その理由は、
光源装置２００から射出される光を液晶ライトバルブ３３０Ｒ，３３０Ｇ，３３０Ｂで有
効に利用するためである。
【００２７】
照度分布と偏光方向とが調整された光は、色分離光学系３２０に入射する。色分離光学
系３２０は、入射光を赤色光（Ｒ）、緑色光（Ｇ）、青色光（Ｂ）の３つの色光に分離す
る。３つの色光は、各色光に対応付けられた液晶ライトバルブ３３０Ｒ，３３０Ｇ，３３
０Ｂにより、映像信号に応じてそれぞれ変調される。液晶ライトバルブ３３０Ｒ，３３０
Ｇ，３３０Ｂは、後述する液晶パネル５６０Ｒ，５６０Ｇ，５６０Ｂと、偏光板（図示せ
ず）と、を有する。偏光板は、液晶パネル５６０Ｒ，５６０Ｇ，５６０Ｂのそれぞれの光
入射側および光射出側に配置される。
【００２８】
変調された３つの色光は、クロスダイクロイックプリズム３４０により合成される。合
成光は投射光学系３５０に入射する。投射光学系３５０は、入射光をスクリーン７００（
図５参照）に投射する。これにより、スクリーン７００上に映像が表示される。なお、平
行化レンズ３０５、照明光学系３１０、色分離光学系３２０、クロスダイクロイックプリ
ズム３４０、投射光学系３５０の各々の構成としては、周知の構成を採用することができ
る。
【００２９】
光源装置２００は、光源ユニット２１０と、放電灯点灯装置１０と、制御装置（制御部
）４０と、冷却装置（冷却部）５０と、を有する。
図２は、光源装置２００の構成を示す断面図である。図２には、光源ユニット２１０の
断面図が示されている。図２においては、制御装置４０と冷却装置５０との図示を省略し
ている。
【００３０】
（光源ユニット）
光源ユニット２１０は、図２に示すように、放電灯９０と、主反射鏡１１２と、副反射
鏡１１３と、を有する。
放電灯点灯装置１０は、放電灯９０に駆動電流Ｉを供給して放電灯９０を点灯させる。
主反射鏡１１２は、放電灯９０から射出された光を照射方向Ｄに向けて反射する。照射方
向Ｄは、放電灯９０の光軸ＡＸと平行である。
【００３１】
放電灯９０は、放電灯本体５１０と、第１電極９２および第２電極９３と、を有する。
放電灯本体５１０の形状は、照射方向Ｄに沿って延びる棒状である。放電灯本体５１０
の一方の端部、すなわち、放電灯９０の一方の端部を第１端部９０ｅ１とする。放電灯本
体５１０の他方の端部、すなわち、放電灯９０の他方の端部を第２端部９０ｅ２とする。
放電灯本体５１０の材料は、例えば、石英ガラス等の透光性材料である。放電灯本体５１
０の中央部は球状に膨らんでおり、その内部は放電空間９１である。放電空間９１には、
水銀、希ガス、金属ハロゲン化合物等を含む放電媒体であるガスが封入されている。
【００３２】
放電空間９１には、第１電極９２および第２電極９３の先端が突出している。第１電極
９２は、放電空間９１の第１端部９０ｅ１側に配置されている。第２電極９３は、放電空
間９１の第２端部９０ｅ２側に配置されている。第１電極９２および第２電極９３の形状
は、光軸ＡＸに沿って延びる棒状である。放電空間９１には、第１電極９２および第２電
極９３の電極先端部が、所定距離だけ離れて対向するように配置されている。第１電極９
２および第２電極９３の材料は、例えば、タングステン等の金属である。
【００３３】
放電灯９０の第１端部９０ｅ１に、第１端子５３６が設けられている。第１端子５３６
と第１電極９２とは、放電灯９０の内部を貫通する導電性部材５３４により電気的に接続
されている。同様に、放電灯９０の第２端部９０ｅ２に、第２端子５４６が設けられてい
る。第２端子５４６と第２電極９３とは、放電灯９０の内部を貫通する導電性部材５４４
により電気的に接続されている。第１端子５３６および第２端子５４６の材料は、例えば
、タングステン等の金属である。導電性部材５３４，５４４の材料としては、例えば、モ
リブデン箔が利用される。
【００３４】
第１端子５３６および第２端子５４６は、放電灯点灯装置１０に接続されている。放電
灯点灯装置１０は、第１端子５３６および第２端子５４６に、放電灯９０を駆動するため
の駆動電力Ｗｄを供給する。その結果、第１電極９２および第２電極９３の間でアーク放
電が起きる。アーク放電により発生した光（放電光）は、破線の矢印で示すように、放電
位置から全方向に向かって放射される。
【００３５】
主反射鏡１１２は、固定部材１１４により、放電灯９０の第１端部９０ｅ１に固定され
ている。主反射鏡１１２は、放電光のうち、照射方向Ｄと反対側に向かって進む光を照射
方向Ｄに向かって反射する。主反射鏡１１２の反射面（放電灯９０側の面）の形状は、放
電光を照射方向Ｄに向かって反射できる範囲内において、特に限定されず、例えば、回転
楕円形状であっても、回転放物線形状であってもよい。例えば、主反射鏡１１２の反射面
の形状を回転放物線形状とした場合、主反射鏡１１２は、放電光を光軸ＡＸに略平行な光
に変換することができる。これにより、平行化レンズ３０５を省略することができる。
【００３６】
副反射鏡１１３は、固定部材５２２により、放電灯９０の第２端部９０ｅ２側に固定さ
れている。副反射鏡１１３の反射面（放電灯９０側の面）の形状は、放電空間９１の第２
端部９０ｅ２側の部分を囲む球面形状である。副反射鏡１１３は、放電光のうち、主反射
鏡１１２が配置された側と反対側に向かって進む光を主反射鏡１１２に向かって反射する
。これにより、放電空間９１から放射される光の利用効率を高めることができる。
【００３７】
固定部材１１４，５２２の材料は、放電灯９０からの発熱に耐え得る耐熱材料である範
囲内において、特に限定されず、例えば、無機接着剤である。主反射鏡１１２および副反
射鏡１１３と放電灯９０との配置を固定する方法としては、主反射鏡１１２および副反射
鏡１１３を放電灯９０に固定する方法に限らず、任意の方法を採用できる。例えば、放電
灯９０と主反射鏡１１２とを、独立にプロジェクター５００の筐体（図示せず）に固定し
てもよい。副反射鏡１１３についても同様である。
【００３８】
（放電灯点灯装置）
図３は、放電灯点灯装置１０および制御装置４０の回路構成の一例を示す図である。
放電灯点灯装置１０は、図３に示すように、電力制御回路２０と、極性反転回路３０と
、動作検出部６０と、イグナイター回路７０と、を有する。
【００３９】
電力制御回路２０は、放電灯９０に供給する駆動電力を生成する。本実施形態において
は、電力制御回路２０は、直流電源装置８０からの電圧を入力とし、入力電圧を降圧して
直流電流Ｉｄを出力するダウンチョッパー回路で構成されている。
【００４０】
電力制御回路２０は、スイッチ素子２１、ダイオード２２、コイル２３およびコンデン
サー２４を含んで構成される。スイッチ素子２１は、例えば、トランジスターで構成され
る。本実施形態においては、スイッチ素子２１の一端は直流電源装置８０の正電圧側に接
続され、他端はダイオード２２のカソード端子およびコイル２３の一端に接続されている
。
【００４１】
コイル２３の他端にコンデンサー２４の一端が接続され、コンデンサー２４の他端はダ
イオード２２のアノード端子および直流電源装置８０の負電圧側に接続されている。スイ
ッチ素子２１の制御端子には、制御装置４０から電流制御信号が入力されてスイッチ素子
２１のＯＮ／ＯＦＦが制御される。電流制御信号には、例えば、ＰＷＭ（Pulse Width Mo
dulation）制御信号が用いられてもよい。
【００４２】
スイッチ素子２１がＯＮすると、コイル２３に電流が流れ、コイル２３にエネルギーが
蓄えられる。その後、スイッチ素子２１がＯＦＦすると、コイル２３に蓄えられたエネル
ギーがコンデンサー２４とダイオード２２とを通る経路で放出される。その結果、スイッ
チ素子２１がＯＮする時間の割合に応じた直流電流Ｉｄが発生する。
【００４３】
極性反転回路３０は、電力制御回路２０から入力される直流電流Ｉｄを所定のタイミン
グで極性反転させる。これにより、極性反転回路３０は、制御された時間だけ継続する直
流である駆動電流Ｉ、もしくは、任意の周波数を持つ交流である駆動電流Ｉを生成し、出
力する。本実施形態において、極性反転回路３０は、インバーターブリッジ回路（フルブ
リッジ回路）で構成されている。
【００４４】
極性反転回路３０は、例えば、トランジスターなどで構成される第１のスイッチ素子３
１、第２のスイッチ素子３２、第３のスイッチ素子３３、および第４のスイッチ素子３４
を含んでいる。極性反転回路３０は、直列接続された第１のスイッチ素子３１および第２
のスイッチ素子３２と、直列接続された第３のスイッチ素子３３および第４のスイッチ素
子３４と、が互いに並列接続された構成を有する。第１のスイッチ素子３１、第２のスイ
ッチ素子３２、第３のスイッチ素子３３、および第４のスイッチ素子３４の制御端子には
、それぞれ制御装置４０から極性反転制御信号が入力される。この極性反転制御信号に基
づいて、第１のスイッチ素子３１、第２のスイッチ素子３２、第３のスイッチ素子３３お
よび第４のスイッチ素子３４のＯＮ／ＯＦＦ動作が制御される。
【００４５】
極性反転回路３０においては、第１のスイッチ素子３１および第４のスイッチ素子３４
と、第２のスイッチ素子３２および第３のスイッチ素子３３と、を交互にＯＮ／ＯＦＦさ
せる動作が繰り返される。これにより、電力制御回路２０から出力される直流電流Ｉｄの
極性が交互に反転する。極性反転回路３０は、第１のスイッチ素子３１と第２のスイッチ
素子３２との共通接続点、および第３のスイッチ素子３３と第４のスイッチ素子３４との
共通接続点から、制御された時間だけ同一極性状態を継続する直流である駆動電流Ｉ、も
しくは制御された周波数をもつ交流である駆動電流Ｉを生成し、出力する。
【００４６】
すなわち、極性反転回路３０は、第１のスイッチ素子３１および第４のスイッチ素子３
４がＯＮのときには第２のスイッチ素子３２および第３のスイッチ素子３３がＯＦＦであ
り、第１のスイッチ素子３１および第４のスイッチ素子３４がＯＦＦのときには第２のス
イッチ素子３２および第３のスイッチ素子３３がＯＮであるように制御される。したがっ
て、第１のスイッチ素子３１および第４のスイッチ素子３４がＯＮのときには、コンデン
サー２４の一端から第１のスイッチ素子３１、放電灯９０、第４のスイッチ素子３４の順
に流れる駆動電流Ｉが発生する。第２のスイッチ素子３２および第３のスイッチ素子３３
がＯＮのときには、コンデンサー２４の一端から第３のスイッチ素子３３、放電灯９０、
第２のスイッチ素子３２の順に流れる駆動電流Ｉが発生する。
【００４７】
本実施形態において、電力制御回路２０と極性反転回路３０とを合わせた部分が放電灯
駆動部２３０に対応する。すなわち、放電灯駆動部２３０は、放電灯９０を駆動する駆動
電流Ｉを放電灯９０に供給する。
【００４８】
動作検出部６０は、放電灯９０のランプ電圧（電極間電圧）Ｖｌａを検出して制御装置
４０にランプ電圧情報を出力する電圧検出部を含む。また、動作検出部６０は、駆動電流
Ｉを検出して制御装置４０に駆動電流情報を出力する電流検出部などを含む。本実施形態
においては、動作検出部６０は、第１の抵抗６１、第２の抵抗６２および第３の抵抗６３
を含んで構成されている。
【００４９】
本実施形態において、動作検出部６０の電圧検出部は、放電灯９０と並列に、互いに直
列接続された第１の抵抗６１および第２の抵抗６２で分圧した電圧によりランプ電圧Ｖｌ
ａを検出する。また、本実施形態において、電流検出部は、放電灯９０に直列に接続され
た第３の抵抗６３に発生する電圧により駆動電流Ｉを検出する。
【００５０】
イグナイター回路７０は、放電灯９０の点灯開始時にのみ動作する。イグナイター回路
７０は、放電灯９０の点灯開始時に放電灯９０の電極間（第１電極９２と第２電極９３と
の間）を絶縁破壊して放電路を形成するために必要な高電圧（放電灯９０の通常点灯時よ
りも高い電圧）を、放電灯９０の電極間（第１電極９２と第２電極９３との間）に供給す
る。本実施形態においては、イグナイター回路７０は、放電灯９０と並列に接続されてい
る。
【００５１】
（制御装置）
制御装置４０は、プロジェクター５００の点灯開始から消灯に至るまでの各種の動作を
制御する。制御装置４０は、駆動電流Ｉの駆動電流波形に従って放電灯駆動部２３０を制
御する。図３の例では、制御装置４０は、電力制御回路２０および極性反転回路３０を制
御することにより、駆動電流Ｉが同一極性を継続する保持時間、駆動電流Ｉの電流値、周
波数等のパラメーターを制御する。制御装置４０は、極性反転回路３０に対して、駆動電
流Ｉの極性反転タイミングにより、駆動電流Ｉが同一極性で継続する保持時間、駆動電流
Ｉの周波数等を制御する極性反転制御を行う。制御装置４０は、電力制御回路２０に対し
て、出力される直流電流Ｉｄの電流値を制御する電流制御を行う。
【００５２】
制御装置４０は、放電灯９０に供給される駆動電力Ｗｄを周期的に変動させる電力変動
駆動を実行可能である。本実施形態において制御装置４０は、電力変動駆動において、動
作検出部６０の電圧検出部によって検出されたランプ電圧Ｖｌａに基づいて、駆動電力Ｗ
ｄの駆動電力波形を変化させる。詳細については、後述する。
【００５３】
制御装置４０は、冷却装置５０を制御する。制御装置４０は、電力変動駆動において、
動作検出部６０の電圧検出部によって検出されたランプ電圧Ｖｌａと、変動される駆動電
力Ｗｄと、に基づいて、冷却装置５０を制御する。詳細については、後述する。
【００５４】
制御装置４０の構成は、特に限定されない。本実施形態においては、制御装置４０は、
システムコントローラー４１、電力制御回路コントローラー４２、および極性反転回路コ
ントローラー４３を含んで構成されている。なお、制御装置４０は、その一部または全て
を半導体集積回路で構成してもよい。
【００５５】
システムコントローラー４１は、電力制御回路コントローラー４２および極性反転回路
コントローラー４３を制御することにより、電力制御回路２０および極性反転回路３０を
制御する。システムコントローラー４１は、動作検出部６０が検出したランプ電圧Ｖｌａ
および駆動電流Ｉに基づき、電力制御回路コントローラー４２および極性反転回路コント
ローラー４３を制御してもよい。
【００５６】
本実施形態においては、システムコントローラー４１には、記憶部４４が接続されてい
る。
システムコントローラー４１は、記憶部４４に格納された情報に基づき、電力制御回路
２０および極性反転回路３０を制御してもよい。記憶部４４には、例えば、駆動電流Ｉが
同一極性で継続する保持時間、駆動電流Ｉの電流値、周波数、波形、変調パターン等の駆
動パラメーターに関する情報が格納されていてもよい。
【００５７】
本実施形態において記憶部４４には、例えば、電力変動駆動における駆動電力Ｗｄの振
幅および周波数、電力変動駆動において駆動電力Ｗｄの振幅および冷却装置５０の出力を
変化させる際に用いるランプ電圧Ｖｌａの閾値（第１閾値，第２閾値）、冷却装置５０の
出力テーブル等が格納されている。また、本実施形態において記憶部４４には、電力変動
駆動において計測されたランプ電圧Ｖｌａの値が記憶される。
【００５８】
電力制御回路コントローラー４２は、システムコントローラー４１からの制御信号に基
づき、電力制御回路２０へ電流制御信号を出力することにより、電力制御回路２０を制御
する。
【００５９】
極性反転回路コントローラー４３は、システムコントローラー４１からの制御信号に基
づき、極性反転回路３０へ極性反転制御信号を出力することにより、極性反転回路３０を
制御する。
【００６０】
制御装置４０は、専用回路を用いて実現され、上述した制御や後述する処理の各種制御
を行うようにすることができる。これに対して、制御装置４０は、例えば、記憶部４４に
記憶された制御プログラムを実行することによりコンピューターとして機能し、これらの
処理の各種制御を行うようにすることもできる。
【００６１】
図４は、制御装置４０の他の構成例について説明するための図である。図４に示すよう
に、制御装置４０は、制御プログラムにより、電力制御回路２０を制御する電流制御手段
４０−１、極性反転回路３０を制御する極性反転制御手段４０−２として機能するように
構成されてもよい。
【００６２】
（冷却装置）
図１に示す冷却装置５０は、例えば、ファンにより構成されている。冷却装置５０のフ
ァンは、例えば、シロッコファンで構成されている。冷却装置５０のファンは、プロジェ
クター５００の筐体内または筐体外の空気を吸引して、光源ユニット２１０に送風する。
冷却装置５０は、光源ユニット２１０の放電灯９０を冷却可能である。
【００６３】
冷却装置５０は、放電灯９０に供給されている駆動電力Ｗｄの値を、制御装置４０から
受け取る。本実施形態において冷却装置５０の出力は、ランプ電圧Ｖｌａと、変動される
駆動電力Ｗｄと、に応じて調整される。詳細については、後述する。
【００６４】
以下、プロジェクター５００の回路構成について説明する。
図５は、本実施形態のプロジェクター５００の回路構成の一例を示す図である。プロジ
ェクター５００は、図１に示した構成の他、図５に示すように、画像信号変換部５０１と
、直流電源装置８０と、液晶パネル５６０Ｒ，５６０Ｇ，５６０Ｂと、画像処理装置５７
０と、を備える。
【００６５】
画像信号変換部５０１は、外部から入力された画像信号５０２（輝度−色差信号やアナ
ログＲＧＢ信号など）を所定のワード長のデジタルＲＧＢ信号に変換して画像信号５１２
Ｒ，５１２Ｇ，５１２Ｂを生成し、画像処理装置５７０に供給する。
【００６６】
画像処理装置５７０は、３つの画像信号５１２Ｒ，５１２Ｇ，５１２Ｂに対してそれぞ
れ画像処理を行う。画像処理装置５７０は、液晶パネル５６０Ｒ，５６０Ｇ，５６０Ｂを
それぞれ駆動するための駆動信号５７２Ｒ，５７２Ｇ，５７２Ｂを液晶パネル５６０Ｒ，
５６０Ｇ，５６０Ｂに供給する。
【００６７】
本実施形態において画像処理装置５７０は、画像信号５１２Ｒ，５１２Ｇ，５１２Ｂの
輝度情報を調整可能である。画像処理装置５７０は、放電灯９０に供給されている駆動電
力Ｗｄの値を、電力信号５８１を介して制御装置４０から受け取る。画像処理装置５７０
は、電力信号５８１に基づいて画像信号５１２Ｒ，５１２Ｇ，５１２Ｂの輝度情報を調整
する。本実施形態において画像処理装置５７０は、電力変動駆動において、駆動電力Ｗｄ
の変動に応じた放電灯９０の輝度の変化を相殺するように、輝度情報を調整する。
【００６８】
直流電源装置８０は、外部の交流電源６００から供給される交流電圧を一定の直流電圧
に変換する。直流電源装置８０は、トランス（図示しないが、直流電源装置８０に含まれ
る）の２次側にある画像信号変換部５０１、画像処理装置５７０およびトランスの１次側
にある放電灯点灯装置１０に直流電圧を供給する。
【００６９】
放電灯点灯装置１０は、起動時に放電灯９０の電極間に高電圧を発生し、絶縁破壊を生
じさせて放電路を形成する。以後、放電灯点灯装置１０は、放電灯９０が放電を維持する
ための駆動電流Ｉを供給する。
【００７０】
液晶パネル５６０Ｒ，５６０Ｇ，５６０Ｂは、前述した液晶ライトバルブ３３０Ｒ，３
３０Ｇ，３３０Ｂにそれぞれ設けられている。液晶パネル５６０Ｒ，５６０Ｇ，５６０Ｂ
は、それぞれ駆動信号５７２Ｒ，５７２Ｇ，５７２Ｂに基づいて、前述した光学系を介し
て各液晶パネル５６０Ｒ，５６０Ｇ，５６０Ｂに入射される色光の透過率（輝度）を変調
する。
【００７１】
以下、第１電極９２および第２電極９３の極性状態について説明する。
図６（Ａ），（Ｂ）には、第１電極９２および第２電極９３の先端部分が示されている
。第１電極９２および第２電極９３の先端にはそれぞれ突起５５２ｐ，５６２ｐが形成さ
れている。
【００７２】
第１電極９２と第２電極９３の間で生じる放電は、主として突起５５２ｐと突起５６２
ｐとの間で生じる。本実施形態のように突起５５２ｐ，５６２ｐがある場合には、突起が
無い場合と比べて、第１電極９２および第２電極９３における放電位置（アーク位置）の
移動を抑えることができる。
【００７３】
図６（Ａ）は、第１電極９２が陽極として動作し、第２電極９３が陰極として動作する
第１極性状態を示している。第１極性状態では、放電により、第２電極９３（陰極）から
第１電極９２（陽極）へ電子が移動する。陰極（第２電極９３）からは電子が放出される
。陰極（第２電極９３）から放出された電子は陽極（第１電極９２）の先端に衝突する。
この衝突によって熱が生じ、陽極（第１電極９２）の先端（突起５５２ｐ）の温度が上昇
する。
【００７４】
図６（Ｂ）は、第１電極９２が陰極として動作し、第２電極９３が陽極として動作する
第２極性状態を示している。第２極性状態では、第１極性状態とは逆に、第１電極９２か
ら第２電極９３へ電子が移動する。その結果、第２電極９３の先端（突起５６２ｐ）の温
度が上昇する。
【００７５】
このように、放電灯９０に駆動電流Ｉが供給されることで、電子が衝突する陽極の温度
は上昇する。一方、電子を放出する陰極は、陽極に向けて電子を放出している間、温度は
低下する。
【００７６】
第１電極９２と第２電極９３との電極間距離は、突起５５２ｐ，５６２ｐの劣化ととも
に大きくなる。突起５５２ｐ，５６２ｐが損耗するためである。電極間距離が大きくなる
と、第１電極９２と第２電極９３との間の抵抗が大きくなるため、ランプ電圧Ｖｌａが大
きくなる。したがって、ランプ電圧Ｖｌａを参照することによって、電極間距離の変化、
すなわち、放電灯９０の劣化度合いを検出することができる。
【００７７】
なお、第１電極９２と第２電極９３とは、同様の構成であるため、以下の説明において
は、代表して第１電極９２についてのみ説明する場合がある。また、第１電極９２の先端
の突起５５２ｐと第２電極９３の先端の突起５６２ｐとは、同様の構成であるため、以下
の説明においては、代表して突起５５２ｐについてのみ説明する場合がある。
【００７８】
以下、本実施形態の制御装置４０による放電灯駆動部２３０の制御および冷却装置５０
の制御について説明する。本実施形態においては、制御装置４０が電力変動駆動を常時実
行する場合について説明する。
【００７９】
本実施形態において制御装置４０は、例えば、ランプ電圧Ｖｌａに基づいて電力変動駆
動における駆動電力Ｗｄの振幅を変化させるとともに、ランプ電圧Ｖｌａおよび駆動電力
Ｗｄに基づいて冷却装置５０の出力を変化させる。
【００８０】
なお、以下の説明においては、冷却装置５０の出力を、冷却装置５０に印加されるファ
ン電圧Ｖｆとして説明する場合がある。冷却装置５０に印加されるファン電圧Ｖｆに比例
して、冷却装置５０のファンの回転数が大きくなり、放電灯９０の冷却度合が大きくなる
。
【００８１】
図７は、電力変動駆動における駆動電力Ｗｄの変化を示すグラフである。図７において
縦軸は、駆動電力Ｗｄを示しており、横軸は、時間Ｔを示している。
図７に示すように、電力変動駆動は、放電灯９０に供給される駆動電力Ｗｄを周期的に
変動させる駆動である。図７においては、駆動電力波形ＷＣＬ１，ＷＣＬ２，ＷＣＬ３を
示している。
【００８２】
駆動電力波形ＷＣＬ１，ＷＣＬ２，ＷＣＬ３は、２つの値、すなわち、最小値と最大値
との間で周期的に変化する。駆動電力波形ＷＣＬ１，ＷＣＬ２，ＷＣＬ３は、例えば、正
弦波状である。駆動電力波形ＷＣＬ１，ＷＣＬ２，ＷＣＬ３の最小値は、例えば、互いに
同じである。図７の例では、駆動電力波形ＷＣＬ１，ＷＣＬ２，ＷＣＬ３の最小値は、例
えば、設定電力Ｗｄｓである。設定電力Ｗｄｓは、設定されている点灯モードにおける駆
動電力Ｗｄである。本実施形態において設定電力Ｗｄｓは、定格電力Ｗｄｒよりも小さい
。
【００８３】
駆動電力波形ＷＣＬ１の最大値は、駆動電力Ｗｄ１である。駆動電力波形ＷＣＬ２の最
大値は、駆動電力Ｗｄ２である。駆動電力波形ＷＣＬ３の最大値は、定格電力Ｗｄｒであ
る。駆動電力Ｗｄ１は、設定電力Ｗｄｓよりも大きい。駆動電力Ｗｄ２は、駆動電力Ｗｄ
１よりも大きい。定格電力Ｗｄｒは、駆動電力Ｗｄ２よりも大きい。これにより、駆動電
力波形ＷＣＬ２の振幅Ａ２は、駆動電力波形ＷＣＬ１の振幅Ａ１よりも大きい。駆動電力
波形ＷＣＬ３の振幅Ａ３は、駆動電力波形ＷＣＬ２の振幅Ａ２よりも大きい。また、駆動
電力波形ＷＣＬ２における平均駆動電力は、駆動電力波形ＷＣＬ１における平均駆動電力
よりも大きい。駆動電力波形ＷＣＬ３における平均駆動電力は、駆動電力波形ＷＣＬ２に
おける平均駆動電力よりも大きい。
【００８４】
駆動電力波形ＷＣＬ１，ＷＣＬ２，ＷＣＬ３の周波数は、例えば、互いに同じである。
本実施形態において駆動電力Ｗｄの周波数は、駆動電力Ｗｄの周期ｔ１が、例えば、２時
間以下となるように設定される。このように設定されることで、プロジェクター５００の
一度の使用時に駆動電力Ｗｄの変動が一周しやすい。そのため、プロジェクター５００の
一度の使用時に、駆動電力Ｗｄが大きい状態と駆動電力Ｗｄが小さい状態とが生じるため
、放電灯９０の第１電極９２に好適に刺激を与えやすい。これにより、放電灯９０の寿命
を向上することができる。
【００８５】
また、本実施形態において駆動電力Ｗｄの周波数は、例えば、駆動電力Ｗｄの変化の速
さが４．０Ｗ／ｓ以下に制御される。このように制御することで、駆動電力Ｗｄを変動さ
せたことによる放電灯９０の輝度の変化を、使用者に認識させにくくできる。
【００８６】
駆動電力Ｗｄの周波数は、例えば、駆動電力Ｗｄの周期ｔ１が６分以上、１５分以下程
度に設定される。言い換えれば、駆動電力Ｗｄの周波数は、例えば、約０．００１Ｈｚ以
上、０．００６Ｈｚ以下程度に設定される。
【００８７】
駆動電力Ｗｄが大きいほど放電灯９０の輝度は高くなり、駆動電力Ｗｄが小さいほど放
電灯９０の輝度は低くなる。本実施形態においては、上述したように、画像処理装置５７
０は、電力変動駆動において、駆動電力Ｗｄの変動に応じた放電灯９０の輝度の変化を相
殺するように、輝度情報を調整する。すなわち、駆動電力波形ＷＣＬ３の例では、画像処
理装置５７０は、例えば、駆動電力Ｗｄが設定電力Ｗｄｓよりも大きい場合に、設定電力
Ｗｄｓにおける放電灯９０の輝度との差を相殺するように、画像信号５１２Ｒ，５１２Ｇ
，５１２Ｂの輝度情報を低く設定する。
【００８８】
図８は、電力変動駆動における冷却装置５０の出力の変化を示すグラフである。図８に
おいて縦軸は、冷却装置５０の出力としてファン電圧Ｖｆを示しており、横軸は、時間Ｔ
を示している。
【００８９】
図８に示すように、電力変動駆動において、ファン電圧Ｖｆは周期的に変動する。図８
においては、ファン電圧波形ＶＣＬ１，ＶＣＬ２，ＶＣＬ３を示している。ファン電圧波
形ＶＣＬ１は、例えば、図７に示す駆動電力波形ＷＣＬ１のときのファン電圧波形である
。ファン電圧波形ＶＣＬ２は、例えば、図７に示す駆動電力波形ＷＣＬ２のときのファン
電圧波形である。ファン電圧波形ＶＣＬ３は、例えば、図７に示す駆動電力波形ＷＣＬ３
のときのファン電圧波形である。
【００９０】
図７および図８に示すように、駆動電力波形ＷＣＬ１の上昇に伴って、ファン電圧波形
ＶＣＬ１は上昇し、駆動電力波形ＷＣＬ１の下降に伴って、ファン電圧波形ＶＣＬ１は下
降する。すなわち、本実施形態において制御装置４０は、電力変動駆動において、駆動電
力Ｗｄが上昇した際には、冷却装置５０の出力を増加させ、駆動電力Ｗｄが低下した際に
は、冷却装置５０の出力を減少させる。駆動電力波形ＷＣＬ２，ＷＣＬ３についても同様
である。
【００９１】
本実施形態においては、ファン電圧Ｖｆは、駆動電力Ｗｄに比例する。そのため、図８
に示すファン電圧波形ＶＣＬ１，ＶＣＬ２，ＶＣＬ３は、駆動電力波形ＷＣＬ１，ＷＣＬ
２，ＷＣＬ３と同様の正弦波形状である。ファン電圧波形ＶＣＬ２の振幅Ｂ２は、ファン
電圧波形ＶＣＬ１の振幅Ｂ１よりも大きい。ファン電圧波形ＶＣＬ３の振幅Ｂ３は、ファ
ン電圧波形ＶＣＬ２の振幅Ｂ２よりも大きい。また、駆動電力波形ＷＣＬ１，ＷＣＬ２，
ＷＣＬ３と、ファン電圧波形ＶＣＬ１，ＶＣＬ２，ＶＣＬ３とは、同じ周期ｔ１で変化す
る。
【００９２】
ファン電圧波形ＶＣＬ１の最小値は、ファン電圧Ｖｆ１である。ファン電圧波形ＶＣＬ
２の最小値は、ファン電圧Ｖｆ２である。ファン電圧波形ＶＣＬ３の最小値は、ファン電
圧Ｖｆ３である。ファン電圧Ｖｆ２は、ファン電圧Ｖｆ１よりも大きい。ファン電圧Ｖｆ
３は、ファン電圧Ｖｆ２よりも大きい。
【００９３】
なお、本明細書において、ファン電圧Ｖｆが駆動電力Ｗｄに比例するとは、ファン電圧
Ｖｆが厳密に駆動電力Ｗｄに比例する場合のみを意味するものではなく、例えば、０．９
倍以上、１．１倍以下程度の誤差は許容されるものとする。
【００９４】
また、本明細書において、ファン電圧Ｖｆが駆動電力Ｗｄに比例するとは、ランプ電圧
Ｖｌａを固定した場合に、ファン電圧Ｖｆが駆動電力Ｗｄに比例することを含む。
【００９５】
図９は、本実施形態の電力変動駆動における制御装置４０の制御手順の一例を示すフロ
ーチャートである。
図９に示すように、制御装置４０は、電力変動駆動における所定の測定タイミングにお
いてランプ電圧（電極間電圧）Ｖｌａを測定する（ステップＳ１１）。ランプ電圧Ｖｌａ
の測定は、動作検出部６０の電圧検出部によって行う。
【００９６】
本実施形態において、所定の測定タイミングとは、電力変動駆動において駆動電力Ｗｄ
の値が最小となるタイミングである。すなわち、動作検出部６０の電圧検出部は、電力変
動駆動において、駆動電力Ｗｄが最小となるときにランプ電圧Ｖｌａを検出する。図７お
よび図８の例では、測定タイミングは、駆動電力Ｗｄが最小値である設定電力Ｗｄｓにな
るタイミング、すなわち、時刻Ｔ１，Ｔ２，Ｔ３である。
【００９７】
図９に示すように、制御装置４０は、測定したランプ電圧Ｖｌａが、閾値（第１閾値，
第２閾値）以上か否かを判断する（ステップＳ１２）。そして、制御装置４０は、測定し
たランプ電圧Ｖｌａが閾値以上の場合（ステップＳ１２：ＹＥＳ）、駆動電力Ｗｄの振幅
を大きくし、ファン電圧Ｖｆを増加させる（ステップＳ１３）。
【００９８】
具体的には、例えば、現在の駆動電力波形が図７に示す駆動電力波形ＷＣＬ１の場合、
制御装置４０は、駆動電力波形を図７の駆動電力波形ＷＣＬ２にして、駆動電力Ｗｄの振
幅を振幅Ａ１から振幅Ａ２に大きくする。すなわち、制御装置４０は、例えば、駆動電力
Ｗｄの最小値を設定電力Ｗｄｓに固定して、駆動電力Ｗｄの最大値を駆動電力Ｗｄ１から
駆動電力Ｗｄ２に上昇させる。
【００９９】
また、制御装置４０は、ファン電圧Ｖｆのファン電圧波形を図８に示すファン電圧波形
ＶＣＬ１からファン電圧波形ＶＣＬ２にする。すなわち、制御装置４０は、ファン電圧波
形の形状を駆動電力波形の変化に合わせて変化させるとともに、ファン電圧Ｖｆの最小値
をファン電圧Ｖｆ１からファン電圧Ｖｆ２へと上昇させる。
【０１００】
一方、制御装置４０は、測定したランプ電圧Ｖｌａが閾値よりも小さい場合（ステップ
Ｓ１２：ＮＯ）、次の測定タイミングまで、現在の駆動電力Ｗｄの振幅を維持する（ステ
ップＳ１７）。
【０１０１】
ランプ電圧Ｖｌａの閾値は、例えば、初期ランプ電圧の値から＋５Ｖ程度に設定される
。ランプ電圧Ｖｌａの閾値は、例えば、放電灯９０ごとに実験的に設定される。また、ス
テップＳ１３における駆動電力Ｗｄの振幅の増加幅、すなわち、一例として駆動電力Ｗｄ
１と駆動電力Ｗｄ２との差は、例えば、実験的に求められる。駆動電力Ｗｄの振幅の増加
幅は一定であってもよいし、変化してもよい。駆動電力Ｗｄの振幅を大きくする処理は、
例えば、予め記憶部４４に記憶されたテーブルを参照することによって行ってもよいし、
予め記憶部４４に記憶された計算式から算出することによって行ってもよい。
【０１０２】
また、ステップＳ１３におけるファン電圧Ｖｆの増加幅、すなわち、一例としてファン
電圧Ｖｆ１とファン電圧Ｖｆ２との差についても、例えば、駆動電力Ｗｄの増加幅と同様
に設定することができる。
【０１０３】
制御装置４０は、駆動電力Ｗｄの振幅を大きくした後、測定したランプ電圧Ｖｌａを記
憶部４４に記憶させる（ステップＳ１４）。そして、制御装置４０は、次の測定タイミン
グまで、大きくした振幅に基づいて駆動電力Ｗｄを変動させる。
【０１０４】
次に、制御装置４０は、ステップＳ１１における測定タイミングの次の測定タイミング
において、ランプ電圧Ｖｌａを測定する（ステップＳ１５）。そして、制御装置４０は、
測定したランプ電圧Ｖｌａが、ステップＳ１４において記憶されたランプ電圧（電極間電
圧）Ｖｌａよりも小さいか否かを判断する（ステップＳ１６）。
【０１０５】
制御装置４０は、測定したランプ電圧Ｖｌａが、記憶されているランプ電圧Ｖｌａ以上
である場合（ステップＳ１６：ＮＯ）、ステップＳ１３に戻り、再び駆動電力Ｗｄの振幅
を大きくし、ファン電圧Ｖｆを増加させる。図７および図８の例では、制御装置４０は、
駆動電力波形を駆動電力波形ＷＣＬ２から駆動電力波形ＷＣＬ３にし、ファン電圧波形を
ファン電圧波形ＶＣＬ２からファン電圧波形ＶＣＬ３にする。
【０１０６】
制御装置４０は、測定したランプ電圧Ｖｌａが記憶されているランプ電圧Ｖｌａより小
さい場合（ステップＳ１６：ＹＥＳ）、次の測定タイミングまで現在の駆動電力Ｗｄの振
幅を維持する（ステップＳ１７）。そして、ステップＳ１１に戻り、次の測定タイミング
で上記と同様の処理を行う。
【０１０７】
以上のようにして、本実施形態において制御装置４０は、電力変動駆動において、ラン
プ電圧Ｖｌａに基づいて駆動電力Ｗｄの振幅を増加させつつ、駆動電力Ｗｄを変動させる
。加えて、制御装置４０は、駆動電力Ｗｄの振幅の増加に伴って、ファン電圧Ｖｆを増加
させる。
【０１０８】
上述した制御装置４０による制御は、プロジェクターの制御方法として表すこともでき
る。すなわち、本実施形態のプロジェクターの制御方法は、光を射出する放電灯９０と、
放電灯９０からの光を変調する液晶ライトバルブ３３０Ｒ，３３０Ｇ，３３０Ｂと、液晶
ライトバルブ３３０Ｒ，３３０Ｇ，３３０Ｂによって変調された光を投射する投射光学系
３５０と、を備えるプロジェクターの制御方法であって、放電灯９０に供給される駆動電
力Ｗｄを周期的に変動させる電力変動駆動を含み、電力変動駆動において、放電灯９０の
ランプ電圧Ｖｌａと、変動される駆動電力Ｗｄと、に基づいて、放電灯９０を冷却するこ
とを特徴とする。
【０１０９】
本実施形態によれば、制御装置４０は、電力変動駆動において、ランプ電圧Ｖｌａと、
駆動電力Ｗｄとに基づいて冷却装置５０を制御する。そのため、放電灯９０の寿命を向上
できる。以下、詳細に説明する。
【０１１０】
本実施形態のように駆動電力Ｗｄを変化させる場合、駆動電力Ｗｄの大きさによって、
放電灯９０に生じる熱量が変化するため、駆動電力Ｗｄの変化に応じて冷却装置５０の出
力を変化させることが好ましい。これにより、駆動電力Ｗｄによって生じる放電灯９０の
温度変化を抑制できる。しかし、駆動電力Ｗｄに基づいて冷却装置５０を制御するのみで
は、放電灯９０の寿命を十分に向上できない場合があった。その理由は、以下の通りであ
る。
【０１１１】
放電灯９０は、劣化が進行するのに伴って、ランプ電圧Ｖｌａが上昇する。そして、ラ
ンプ電圧Ｖｌａが上昇すると、放電灯９０の温度が上昇する。ランプ電圧Ｖｌａの上昇に
より、放電灯９０の温度が上昇する原理としては、詳細は不明であるものの、以下のよう
に考えられる。
【０１１２】
経年による電極消耗によって、電極間距離が大きくなると、ランプ電圧Ｖｌａが上昇す
る。そのため、電極間に生じるプラズマのエネルギーが増加し、またプラズマの体積も大
きくなる。これにより、放電灯９０の温度が上昇するのではないかと考えられる。
【０１１３】
このように、ランプ電圧Ｖｌａが上昇することで、放電灯９０の温度が上昇するため、
放電灯９０が劣化すると冷却装置５０による放電灯９０の冷却が不十分となりやすい。こ
れにより、放電灯９０が高温となって破損する虞があった。したがって、駆動電力Ｗｄに
基づいて冷却装置５０を制御するのみでは、放電灯９０の寿命を十分に向上できない場合
があった。
【０１１４】
これに対して、本実施形態によれば、制御装置４０は、駆動電力Ｗｄに基づいて冷却装
置５０を制御するのに加えて、ランプ電圧Ｖｌａに基づいて冷却装置５０を制御する。そ
のため、ランプ電圧Ｖｌａの上昇に応じて、ファン電圧Ｖｆを上昇させることができる。
これにより、放電灯９０が高温となって破損することを抑制できる。
【０１１５】
以上のように、本実施形態によれば、駆動電力Ｗｄの変化による放電灯９０の温度変化
と、ランプ電圧Ｖｌａの変化による放電灯９０の温度変化との両方を抑制できるため、放
電灯９０の温度を適切に維持することができる。したがって、本実施形態によれば、放電
灯９０の寿命を向上できる。
【０１１６】
また、本実施形態によれば、制御装置４０は、電力変動駆動において、駆動電力Ｗｄが
上昇した際には、冷却装置５０の出力を増加させ、駆動電力Ｗｄが低下した際には、冷却
装置５０の出力を減少させる。これにより、駆動電力Ｗｄが大きくなった際には、放電灯
９０の温度が高くなり過ぎることを抑制できるため、放電灯９０が破損することを抑制で
きる。一方、駆動電力Ｗｄが小さくなった際には、放電灯９０の温度が低くなり過ぎるこ
とを抑制できるため、放電灯９０内のハロゲンサイクルが生じにくくなることを抑制でき
る。したがって、本実施形態によれば、放電灯９０の温度を適切に維持しやすく、放電灯
９０の寿命をより向上できる。
【０１１７】
なお、ハロゲンサイクルとは、溶融し蒸発した電極物質と放電灯内部に封入されたハロ
ゲンガスとを反応させることで、電極物質をハロゲン化させ、蒸発した電極物質を放電灯
９０内の対流によって再び第１電極９２へと戻す、反応サイクルである。ハロゲン化され
た電極物質は、融点が降下するため、発光管内壁において凝固することが抑制され、結果
として黒化が抑制される。
【０１１８】
また、本実施形態によれば、冷却装置５０のファン電圧Ｖｆは、駆動電力Ｗｄに比例す
る。このような関係となるようにファン電圧Ｖｆを変化させることで、駆動電力Ｗｄの変
化による放電灯９０の温度変化をより抑制しやすく、放電灯９０の温度を一定に維持しや
すい。これにより、本実施形態によれば、放電灯９０の温度を適切に維持しやすい。
【０１１９】
また、本実施形態によれば、制御装置４０は、ステップＳ１３において、ランプ電圧Ｖ
ｌａが閾値（第１閾値）以上の場合、ファン電圧Ｖｆを増加させる。そのため、放電灯９
０の劣化がある程度進行した場合に、段階的にファン電圧Ｖｆを増加させることができ、
冷却装置５０の制御が簡便である。
【０１２０】
また、放電灯９０の第１電極９２の状態は、環境や使用状況によって変わる。そのため
、駆動電力Ｗｄを単純に変化させるだけでは、第１電極９２の突起５５２ｐが十分に成長
しない場合があり、放電灯９０の寿命を十分に向上できない場合があった。
【０１２１】
これに対して、本実施形態によれば、制御装置４０は、ランプ電圧Ｖｌａに基づいて駆
動電力Ｗｄの駆動電力波形を変化させる。そのため、電力変動駆動において、放電灯９０
の劣化状態に応じて、駆動電力Ｗｄを変化させることができる。これにより、本実施形態
によれば、放電灯９０の寿命を向上できる。
【０１２２】
また、本実施形態によれば、ランプ電圧Ｖｌａが閾値（第２閾値）以上の場合に、駆動
電力Ｗｄの振幅を大きくして、駆動電力Ｗｄの最大値を大きくする。そのため、放電灯９
０がある程度劣化した際に、放電灯９０の第１電極９２に加えられる熱負荷を大きくでき
る。これにより、第１電極９２の突起５５２ｐを成長させることができ、放電灯９０の寿
命を向上できる。
【０１２３】
また、例えば、本実施形態のように駆動電力Ｗｄを周期的に変動させる場合には、駆動
電力Ｗｄの大きさによってランプ電圧Ｖｌａの大きさが変動する。そのため、いつの時点
でのランプ電圧Ｖｌａを基準にするかによって、ランプ電圧Ｖｌａに対する評価が変動し
、適切に放電灯９０の劣化状態を判断できない場合ある。
【０１２４】
これに対して、本実施形態によれば、電圧検出部は、電力変動駆動において、駆動電力
Ｗｄが最小となるときにランプ電圧Ｖｌａを検出する。そのため、常に駆動電力Ｗｄが最
小となる時点を基準として、ランプ電圧Ｖｌａの評価を行うことができ、放電灯９０の劣
化状態を正確に判断しやすい。
【０１２５】
また、駆動電力Ｗｄが最小となるときは、第１電極９２に加えられる熱負荷が最も低い
。そのため、第１電極９２と第２電極９３との電極間距離が最も大きく、ランプ電圧Ｖｌ
ａは最も大きくなる。これにより、本実施形態によれば、ランプ電圧Ｖｌａの変化、すな
わち、放電灯９０の劣化をより正確に判断しやすい。
【０１２６】
また、例えば、上述したように、画像処理装置５７０を用いて輝度情報を調整する場合
であっても、駆動電力Ｗｄの変化の速さが大きい場合には、プロジェクター５００から射
出される画像の輝度の変化が使用者に認識される虞がある。
【０１２７】
これに対して、本実施形態によれば、制御装置４０は、駆動電力Ｗｄの変化の速さを４
．０Ｗ／ｓ以下に制御する。駆動電力Ｗｄの変化の速さが４．０Ｗ／ｓ以下であると、使
用者は画像の輝度変化を認識しにくい。そのため、本実施形態によれば、駆動電力Ｗｄを
変動させる電力変動駆動において、使用者が画像の輝度の変化を認識することを抑制でき
る。
【０１２８】
また、本実施形態によれば、画像処理装置５７０は、駆動電力Ｗｄの変動に応じた放電
灯９０の輝度の変化を相殺するように、画像信号５１２Ｒ，５１２Ｇ，５１２Ｂの輝度情
報を調整する。これにより、駆動電力Ｗｄが変動する電力変動駆動において、プロジェク
ター５００から射出される画像の輝度が、駆動電力Ｗｄに応じて変化することを抑制でき
る。
【０１２９】
また、例えば、定格電力Ｗｄｒよりも低い低電力を放電灯９０に供給して、放電灯９０
を駆動する低電力モードの場合、第１電極９２に加えられる熱負荷が小さい。そのため、
第１電極９２の突起５５２ｐが小さくなりやすく、定格電力Ｗｄｒで放電灯９０を駆動す
る場合に比べて、放電灯９０の第１電極９２の形状を維持することが特に困難である。し
たがって、本実施形態における放電灯９０の寿命を向上させる効果は、このような低電力
モードにおいて特に高く得られる。
【０１３０】
なお、本実施形態においては、以下の構成および方法を採用してもよい。
【０１３１】
本実施形態においては、ランプ電圧Ｖｌａの閾値は、複数設定されていてもよい。この
場合、例えば、放電灯９０の劣化に応じて閾値を大きくしてもよい。
【０１３２】
また、本実施形態においては、駆動電力Ｗｄの駆動電力波形を変化させる判断を行うた
めの閾値（第２閾値）と、ファン電圧Ｖｆを増加させる判断を行うための閾値（第１閾値
）と、は異なっていてもよい。この場合においては、駆動電力波形が変化するタイミング
と、ファン電圧Ｖｆが増加するタイミングとが異なる場合がある。
【０１３３】
また、本実施形態においては、ランプ電圧Ｖｌａが閾値以上となった後にランプ電圧Ｖ
ｌａが閾値よりも小さくなった場合には、ファン電圧Ｖｆを減少させてもよい。この構成
によれば、ランプ電圧Ｖｌａが低下することで温度が低下した放電灯９０を、冷却装置５
０によって冷却し過ぎることを抑制できる。そのため、放電灯９０内でハロゲンサイクル
が生じにくくなることを抑制できる。
【０１３４】
また、本実施形態においては、ランプ電圧Ｖｌａが閾値以上となった後にランプ電圧Ｖ
ｌａが閾値よりも小さくなった場合には、駆動電力波形を変化させる前の波形に戻しても
よい。この構成によれば、第１電極９２の突起５５２ｐの成長度合いに応じて、第１電極
９２に加えられる熱負荷を適切に調整でき、第１電極９２の形状を適切に維持しやすい。
【０１３５】
また、本実施形態においては、制御装置４０は、電力変動駆動において、ランプ電圧Ｖ
ｌａが上昇した際には、冷却装置５０のファン電圧Ｖｆを増加させ、ランプ電圧Ｖｌａが
低下した際には、冷却装置５０のファン電圧Ｖｆを減少させる構成としてもよい。この構
成によれば、ランプ電圧Ｖｌａの変化に対してより適切に冷却装置５０の出力を変化させ
ることができる。
【０１３６】
なお、この構成においては、冷却装置５０のファン電圧Ｖｆとランプ電圧Ｖｌａとの関
係は、一次関数で表せてもよい。このような関係となるようにファン電圧Ｖｆを変化させ
ることで、ランプ電圧Ｖｌａの変化による放電灯９０の温度変化をより抑制しやすく、放
電灯９０の温度をより一定に維持しやすい。
【０１３７】
なお、本明細書において、ファン電圧Ｖｆとランプ電圧Ｖｌａとの関係が一次関数で表
せるとは、ファン電圧Ｖｆとランプ電圧Ｖｌａとの関係が厳密に一次関数で表せる場合の
みに限られない。本明細書において、ファン電圧Ｖｆとランプ電圧Ｖｌａとの関係が一次
関数で表せるとは、例えば、ファン電圧Ｖｆとランプ電圧Ｖｌａとの関係を表す近似直線
の値に対して、各値が０．８倍以上、１．２倍以下程度となる範囲の誤差は許容されるも
のとする。
【０１３８】
なお、本明細書において、ファン電圧Ｖｆとランプ電圧Ｖｌａとの関係が一次関数で表
せるとは、駆動電力Ｗｄを固定した場合に、ファン電圧Ｖｆとランプ電圧Ｖｌａとの関係
が一次関数で表せることを含む。
【０１３９】
なお、この構成のように、ランプ電圧Ｖｌａの上昇・下降、および駆動電力Ｗｄの上昇
・下降に応じて、冷却装置５０のファン電圧Ｖｆを増加・減少させる場合には、ランプ電
圧Ｖｌａと駆動電力Ｗｄとのそれぞれの値に基づいたファン電圧Ｖｆの増加・減少が合算
された結果として、実際のファン電圧Ｖｆが出力される。
【０１４０】
例えば、あるタイミングにおいて、ランプ電圧Ｖｌａが上昇し、かつ、駆動電力Ｗｄが
下降したとする。この場合、制御装置４０は、ランプ電圧Ｖｌａに基づいてファン電圧Ｖ
ｆを増加させるとともに、駆動電力Ｗｄに基づいてファン電圧Ｖｆを減少させる。そのた
め、実際に出力されるファン電圧Ｖｆとしては、ファン電圧Ｖｆの増加させる処理と、フ
ァン電圧Ｖｆの減少させる処理とが行われた結果が出力される。したがって、例えば、ラ
ンプ電圧Ｖｌａが上昇している場合であっても、実際に出力されるファン電圧Ｖｆは下降
する場合があり、駆動電力Ｗｄが下降している場合であっても、実際に出力されるファン
電圧Ｖｆは上昇する場合がある。
【０１４１】
また、本実施形態においては、制御装置４０は、測定タイミングごとにランプ電圧Ｖｌ
ａを記憶し、測定タイミング間におけるランプ電圧Ｖｌａの変化量に基づいて駆動電力Ｗ
ｄの駆動電力波形、および冷却装置５０のファン電圧Ｖｆを変化させてもよい。
【０１４２】
この構成によれば、時間的に隣り合う測定タイミング間におけるランプ電圧Ｖｌａの変
化量に基づいて冷却装置５０が制御される。そのため、ランプ電圧Ｖｌａが上昇し始めた
タイミング、すなわち、放電灯９０が劣化し始めたタイミングをより早く検出することが
できる。これにより、放電灯９０の劣化に対して迅速に対処することが可能となり、結果
として、放電灯９０の寿命を向上できる。
【０１４３】
なお、この構成において前回の測定タイミングのランプ電圧Ｖｌａに対して所定値を足
し合わせた値は、ランプ電圧Ｖｌａの閾値に相当する。
【０１４４】
また、本実施形態においては、図９に示すステップＳ１３において、駆動電力Ｗｄの振
幅を大きくせずに、駆動電力Ｗｄの振幅を小さくして、駆動電力Ｗｄの最大値を大きくし
てもよい。この場合、駆動電力Ｗｄの最小値も大きくする。
【０１４５】
また、本実施形態においては、図９に示すステップＳ１３において、駆動電力Ｗｄの周
波数を変化させてもよい。駆動電力Ｗｄの周波数を変化させることで、第１電極９２に加
えられる熱負荷の大きさが変化する速度を変化させることができる。これにより、第１電
極９２に加えられる熱負荷による刺激を変動させることができ、突起５５２ｐを成長させ
ることができる。
【０１４６】
また、本実施形態においては、図９に示すステップＳ１３において、一周期内における
駆動電力Ｗｄが比較的大きくなる期間を長くしてもよい。これにより、第１電極９２に加
えられる熱負荷を大きくできるため、突起５５２ｐを成長させることができる。
【０１４７】
上記説明した駆動電力Ｗｄの周波数を変化させること、および一周期内における駆動電
力Ｗｄが比較的大きくなる期間を長くすることは、ステップＳ１３において、駆動電力Ｗ
ｄの振幅を大きくすることと共に実行されてもよいし、駆動電力Ｗｄの振幅を大きくする
代わりに実行されてもよい。
【０１４８】
また、本実施形態においては、電力変動駆動における駆動電力Ｗｄの駆動電力波形は、
変化しなくてもよい。一例として、駆動電力波形が、例えば、図７に示す駆動電力波形Ｗ
ＣＬ３に固定され、ファン電圧波形が、ランプ電圧Ｖｌａの変化に応じて、図８に示すフ
ァン電圧波形ＶＣＬ１からファン電圧波形ＶＣＬ３の間で変化する構成であってもよい。
【０１４９】
また、上記説明においては、電力変動駆動は、常に実行されるものとしたが、これに限
られない。本実施形態においては、電力変動駆動は、所定条件に基づいて実行されてもよ
い。本実施形態においては、例えば、ランプ電圧Ｖｌａがある値を超えた際に、制御装置
４０が電力変動駆動を実行してもよい。この場合において、電力変動駆動を実行して、ラ
ンプ電圧Ｖｌａがある値以下となった場合には、制御装置４０は、電力変動駆動の実行を
停止してもよい。電力変動駆動が実行されない期間においては、例えば、駆動電力Ｗｄは
設定電力Ｗｄｓに一定に維持される。
【０１５０】
また、本実施形態においては、放電灯９０から射出される光の光量を調整する絞りを備
えてもよい。絞りは、例えば、光源装置２００と平行化レンズ３０５との間の光路上に配
置される。絞りは、光源装置２００、すなわち放電灯９０から射出される光の一部を遮断
できる。
【０１５１】
この構成においては、駆動電力Ｗｄの変動による画像の輝度変化を、画像処理装置５７
０によらず、絞りを用いて相殺してもよい。すなわち、絞りは、電力変動駆動において、
駆動電力Ｗｄの変動に応じた放電灯９０の輝度の変化を相殺するように、放電灯９０から
射出される光の光量を調整してもよい。これにより、プロジェクター５００から投射され
る画像の輝度が変化することを抑制できる。
【０１５２】
また、上記説明においては、測定タイミングは、駆動電力Ｗｄが最小となるタイミング
としたが、これに限られない。本実施形態においては、測定タイミングは、どのタイミン
グであってもよい。本実施形態においては、測定タイミングは、例えば、駆動電力Ｗｄが
最大となるタイミングであってもよい。
【０１５３】
また、本実施形態においては、測定タイミングは、駆動電力Ｗｄが最小となるタイミン
グのうちの一部のタイミングとしてもよい。すなわち、本実施形態においては、次の測定
タイミングが、数回後に駆動電力Ｗｄが最小となるタイミングであってもよい。
【０１５４】
また、本実施形態においては、測定タイミングは、一度のプロジェクター５００の使用
時に、一度だけ設けられていてもよい。この場合、測定タイミングは、例えば、放電灯９
０を点灯した直後に設けられる構成としてもよい。
【０１５５】
また、上記説明においては、電力変動駆動において駆動電力Ｗｄは正弦波状に変動する
構成としたが、これに限られない。本実施形態においては、駆動電力Ｗｄは、周期的に変
動する範囲内において、どのように変動してもよい。本実施形態においては、駆動電力Ｗ
ｄは、例えば、矩形波状、台形波状、三角波状、のこぎり波状、階段状等に変動してもよ
い。
【０１５６】
なお、上記の実施形態において、透過型のプロジェクターに本発明を適用した場合の例
について説明したが、本発明は、反射型のプロジェクターにも適用することも可能である
。ここで、「透過型」とは、液晶パネル等を含む液晶ライトバルブが光を透過するタイプ
であることを意味する。「反射型」とは、液晶ライトバルブが光を反射するタイプである
ことを意味する。なお、光変調装置は、液晶パネル等に限られず、例えばマイクロミラー
を用いた光変調装置であってもよい。
【０１５７】
また、上記の実施形態において、３つの液晶パネル５６０Ｒ，５６０Ｇ，５６０Ｂ（液
晶ライトバルブ３３０Ｒ，３３０Ｇ，３３０Ｂ）を用いたプロジェクター５００の例を挙
げたが、本発明は、１つの液晶パネルのみを用いたプロジェクター、４つ以上の液晶パネ
ルを用いたプロジェクターにも適用可能である。
【０１５８】
また、上記説明した各構成は、相互に矛盾しない範囲内において、適宜組み合わせるこ
とができる。
【符号の説明】
【０１５９】
４０…制御装置（制御部）、５０…冷却装置（冷却部）、９０…放電灯、２３０…放電
灯駆動部、３３０Ｒ，３３０Ｇ，３３０Ｂ…液晶ライトバルブ（光変調装置）、３５０…
投射光学系（投射光学装置）、５００…プロジェクター、５０２，５１２Ｒ，５１２Ｇ，
５１２Ｂ…画像信号、５７０…画像処理装置、Ｖｌａ…ランプ電圧（電極間電圧）、Ｗｄ
…駆動電力、ＷＣＬ１，ＷＣＬ２，ＷＣＬ３…駆動電力波形
【図１】
2016173449.tif 000003
【図２】
2016173449.tif 000004
【図３】
2016173449.tif 000005
【図４】
2016173449.tif 000006
【図５】
2016173449.tif 000007
【図６】
2016173449.tif 000008
【図７】
2016173449.tif 000009
【図８】
2016173449.tif 000010
【図９】
2016173449.tif 000011